(57)【要約】【課題】構造の簡素化を図りつつ、ペイアウト率について、広範囲において細かな調整をすることができるプッシャゲーム機を提供する。【解決手段】固定プレート３０と、この固定プレート３０上で往復動する可動プレート３１と、固定プレート３０の端部に設けられたエッジプレート３２とを有し、可動プレート３１によって押し出された遊戯媒体がエッジプレート３２上を通過してその先端から落下するように構成されたプッシャゲーム機であって、固定プレート３０の端部とエッジプレート３２の基端との間を連結する弾性部材４１と、固定プレート３０に支持されてエッジプレート３２の下方に位置する固定部材４２と、固定部材４２とエッジプレート３２との間に介装され、エッジプレート３２の下面に当接するボルト頭部４３Ａの固定部材４２からの高さ位置が変更可能とされた調整ボルト４３と、を備えるエッジプレート調整機構４を有する。【選択図】図５
2010046136.tif 000002
【特許請求の範囲】
【請求項１】
固定プレートと、この固定プレート上で往復動する可動プレートと、上記固定プレートの端部に設けられたエッジプレートとを有し、上記可動プレートによって押し出された遊戯媒体が上記エッジプレート上を通過してその先端から落下するように構成されたプッシャゲーム機であって、
上記固定プレートの端部と上記エッジプレートの基端との間を連結する弾性部材と、上記エッジプレートの下方に位置する固定部材と、上記固定部材と上記エッジプレートとの間に介装され、上記エッジプレートの下面に当接する当接部を有し、この当接部の上記固定部材からの高さ位置が変更可能とされた調整手段と、を備えるエッジプレート調整機構を有することを特徴とする、プッシャゲーム機。
【請求項２】
上記固定プレートは、下位にある第１部材と上位にある第２部材とが重なる構成とされており、
上記弾性部材は、基端部が上記第１部材および第２部材の間に介装され、先端部が上記エッジプレートに連結される板バネである、請求項１に記載のプッシャゲーム機。
【請求項３】
上記弾性部材の上記基端部は、上記第１部材および第２部材間で上記エッジプレートの先端方向にスライド移動可能とされており、
上記固定プレートと上記弾性部材とを固定する固定手段を備える、請求項２に記載のプッシャゲーム機。
【請求項４】
上記弾性部材の上記基端部には、上記エッジプレートの先端方向に延びる長孔が形成され、上記第１部材には、ネジ孔が形成され、上記第２部材には、上下に貫通する貫通孔が形成されており、
上記固定手段は、上記貫通孔および上記長孔に挿通させられ、かつ上記第１部材のネジ孔に螺合させられる固定ボルトを備えて構成されている、請求項３に記載のプッシャゲーム機。
【請求項５】
上記固定部材には、ネジ孔が形成されており、
上記調整手段は、上記ネジ孔に螺合させられる調整ボルトを含んで構成されている、請求項１ないし４のいずれかに記載のプッシャゲーム機。
【請求項６】
上記調整手段は、上下方向に延びる支柱部と、この支柱部に支持され、水平軸周りに回転可能に支持された主軸と、この主軸の一端に設けられ、周縁部が上記当接部として機能する板カムと、上記主軸の他端に設けられたダイヤルとを有しており、
上記板カムは、上記ダイヤルの回転操作にともない上記当接部の位置が上下に変位するように構成されている、請求項１ないし４のいずれかに記載のプッシャゲーム機。
【請求項７】
上記ダイヤルには、上記主軸の回転角度を示す回転角表示手段が設けられている、請求項６に記載のプッシャゲーム機。
【請求項８】
上記調整手段は、上記当接部が上記エッジプレートの先端に向かうほど上位に変位する傾斜面とされ、上記固定部材に支持されたブロック体を含んで構成されている、請求項１ないし４のいずれかに記載のプッシャゲーム機。
【請求項９】
上記遊戯媒体にはメダルが含まれる、請求項１ないし８のいずれかに記載のプッシャゲーム機。
【発明の詳細な説明】
【技術分野】
【０００１】
本発明は、ゲームセンタなどに設置されるアーケード型のいわゆるプッシャゲーム機に関する。
【背景技術】
【０００２】
アーケード型のプッシャゲーム機としては、固定プレートと、この固定プレート上において往復動する可動プレートとを備え、可動プレートによって押し出された遊戯媒体が固定プレートの端部から落下するとプレイヤに払い出されるように構成されたものが知られている。このようなプッシャゲーム機においては、固定プレートの端部に調整部材（エッジプレート）を設けて、コインの投入枚数に対する遊戯媒体の払い出し数の割合（いわゆるペイアウト率）を変更することができるようにしたものがある（たとえば、特許文献１を参照）。
【０００３】
特許文献１に開示されたメダルプッシャゲーム機においては、調整部材の高さを変えることによってペイアウト率を変更可能とされている（同文献の図４参照）。同文献の図４に表れている構成においては、調整部材６３は、ボルト６４を介して固定部材６２に吊り下げられており、固定部材６２は延長部材６１に支持されている。また、調整部材６３は、メダルが通過するエッジ部６３ｄを有しており、このエッジ部６３ｄは、先端ほど上位となるように傾斜させられている。延長部材６１に形成された貫通孔６７を通じてドライバ等を挿入し、ボルト６４を締める、あるいは緩めることにより、調整部材６３の高さを調整することができる。また、ボルト６４には、コイルスプリングなどのバネ６６が外嵌されており、固定部材６２と調整部材６３との間においてバネ６６が延びる方向（上下に離間する方向）にテンションが付与されることによって、調整部材６３が振動などで不当に上動することが防止される。
【０００４】
しかしながら、上記従来の構成においては、部品点数が多く、比較的に構造が複雑であるので、エッジプレートの調整に係る部分の製造コストが高くついてしまう。また、エッジプレートの調整は、高さ方向にスライドさせる調整であるので、ペイアウト率について広範囲の調整を可能にするためには、調整部材（エッジプレート）のエッジ部の傾斜角度をある程度大きくする必要があるが、傾斜角度を大きくすると、ペイアウト率について細かい調整が困難となる傾向にある。
【０００５】
【特許文献１】特許第３２４９８０３号公報
【発明の開示】
【発明が解決しようとする課題】
【０００６】
本発明は、このような事情のもとで考え出されたものであって、構造の簡素化を図りつつ、ペイアウト率について、広範囲において細かな調整をすることができるプッシャゲーム機を提供することをその目的としている。
【課題を解決するための手段】
【０００７】
上記の課題を解決するため、本発明では、次の技術的手段を採用した。
【０００８】
本発明によって提供されるプッシャゲーム機は、固定プレートと、この固定プレート上で往復動する可動プレートと、上記固定プレートの端部に設けられたエッジプレートとを有し、上記可動プレートによって押し出された遊戯媒体が上記エッジプレート上を通過してその先端から落下するように構成されたプッシャゲーム機であって、上記固定プレートの端部と上記エッジプレートの基端との間を連結する弾性部材と、上記エッジプレートの下方に位置する固定部材と、上記固定部材と上記エッジプレートとの間に介装され、上記エッジプレートの下面に当接する当接部を有し、この当接部の上記固定部材からの高さ位置が変更可能とされた調整手段と、を備えるエッジプレート調整機構を有することを特徴としている。
【０００９】
このような構成によれば、固定プレートの端部とエッジプレートの基端との間は弾性部材によって連結されているため、エッジプレートの先端が基端よりも上位となるように傾斜させられると、弾性部材の弾性復元力によって、エッジプレートには下方への付勢力が働く。一方、固定部材とエッジプレートとの間に介装される調整手段については、固定部材からの当接部の高さを変えるだけで、エッジプレートの傾斜角度を調整することができ、ペイアウト率を変更することができる。したがって、調整手段の構造の簡素化を図ることができる。また、このようなエッジプレートの傾斜角度の調整によれば、ペイアウト率について比較的に広範囲において細かな調整が可能である。
【００１０】
好ましい実施の形態においては、上記固定プレートは、下位にある第１部材と上位にある第２部材とが重なる構成とされており、上記弾性部材は、基端部が上記第１部材および第２部材の間に介装され、先端部が上記エッジプレートに連結される板バネである。
【００１１】
このような構成によれば、固定プレートとエッジプレートとの連結構造を簡素化することができる。
【００１２】
好ましい実施の形態においては、上記弾性部材の上記基端部は、上記第１部材および第２部材間で上記エッジプレートの先端方向にスライド移動可能とされており、上記固定プレートと上記弾性部材とを固定する固定手段を備える。
【００１３】
このような構成によれば、エッジプレートは、先端方向への長さを調整することができる。すなわち、エッジプレートは、傾斜角度の調整と先端方向への長さ調整が可能とされていることから、ペイアウト率についてより細かな調整が可能となる。
【００１４】
好ましい実施の形態においては、上記弾性部材の上記基端部には、上記エッジプレートの先端方向に延びる長孔が形成され、上記第１部材には、ネジ孔が形成され、上記第２部材には、上下に貫通する貫通孔が形成されており、上記固定手段は、上記貫通孔および上記長孔に挿通させられ、かつ上記第１部材のネジ孔に螺合させられる固定ボルトを備えて構成されている。
【００１５】
このような構成によれば、エッジプレートの先端方向の長さの調整について、弾性部材に形成された長孔の寸法によって所定範囲に規定することができる。
【００１６】
好ましい一つの実施の形態においては、上記固定部材には、ネジ孔が形成されており、上記調整手段は、上記ネジ孔に螺合させられる調整ボルトを含んで構成されている。
【００１７】
このような構成によれば、調整手段について、構造の簡素化を図りつつ適切に機能させることができる。
【００１８】
好ましい他の実施の形態においては、上記調整手段は、上下方向に延びる支柱部と、この支柱部に支持され、水平軸周りに回転可能に支持された主軸と、この主軸の一端に設けられ、周縁部が上記当接部として機能する板カムと、上記主軸の他端に設けられたダイヤルとを有しており、上記板カムは、上記ダイヤルの回転操作にともない上記当接部の位置が上下に変位するように構成されている。この場合、好ましくは、上記ダイヤルには、上記主軸の回転角度を示す回転角表示手段が設けられている。
【００１９】
このような構成によれば、ダイヤルを回転させるだけでエッジプレートの傾斜角度を容易に調整することができる。また、ダイヤルに回転角表示手段が設けられていると、エッジプレートの傾斜角度を一定角度に調整することができる。したがって、エッジプレートの調整を行う者の技量にかかわらず、ペイアウト率の調整を画一的に行うことが可能となる。
【００２０】
好ましいさらに別の実施の形態においては、上記調整手段は、上記当接部が上記エッジプレートの先端に向かうほど上位に変位する傾斜面とされ、上記固定部材に支持されたブロック体を含んで構成されている。
【００２１】
このような構成によれば、ブロック体の傾斜面（当接部）の傾斜角度に応じてエッジプレートの傾斜角度を一定角度に調整することができる。したがって、エッジプレートの調整を行う者の技量にかかわらず、ペイアウト率の調整を画一的に行うことが可能となる。
【００２２】
好ましい実施の形態においては、上記遊戯媒体にはメダルが含まれる。本発明のプッシャゲーム機は、遊戯媒体としてメダルを用いたメダルプッシャゲーム機として構成するのに適している。
【００２３】
本発明のその他の特徴および利点は、添付図面を参照して以下に行う詳細な説明によって、より明らかとなろう。
【発明を実施するための最良の形態】
【００２４】
以下、本発明に係るプッシャゲーム機の好ましい実施形態につき、遊戯媒体としてメダルを用いた、いわゆるメダルゲーム機を例に挙げ、図面を参照しつつ具体的に説明する。
【００２５】
図１〜図５は、本発明に係るプッシャゲーム機の一実施形態を示している。図１によく表われているように、本実施形態のメダルゲーム機Ａは、下部筐体１０上に筒状のショーケース１１が載設され、かつこのショーケース１１上に上部カバー１２が設けられた構成を有しており、ショーケース１１によって囲まれた空間部には、後述するメダルゲームフィールドＭＦやセンターユニットＣＵが設けられている。下部筐体１０の外周面部には、複数の操作パネル部１３が等間隔で設けられており、それらの操作パネル部１３と同数の複数人（たとえば８人）が同時にゲームを行なうことができるようになっている。各操作パネル部１３には、後述する抽選ゲーム等に使用される操作ボタン１３Ａのほか、詳細な図示説明は省略するが、メダルを溜めておくためのメダル留置部、メダル投入口などが設けられている。操作パネル部１３の奥方には、メダルゲームフィールドＭＦから落とされたメダルを払い出すメダル払出口１３Ｂも設けられている。また、各操作パネル部１３の左右両側の下部筐体１０内部には、メダル投入装置１４が設けられている。メダル投入装置１４は、ショーケースの外側でプレイヤにより投入されたメダルを、左右において所望の方向に向けてショーケース１１内のメダルゲームフィールドＭＦへと投出するように構成されている。メダルゲームフィールドＭＦは、複数の操作パネル部１３の個々に対応してたとえば計８箇所設けられている。
【００２６】
メダルゲーム機Ａには、図２に電気的な構成を示すように、後述する画像表示装置２やプッシャフィールド３、クルーン抽選装置７、さらにはセンターユニットＣＵ（キャッチャー抽選装置５やセンター抽選装置８）などの各部の動作を制御するマイクロコンピュータ９が搭載されている。
【００２７】
図３および図４に表れているように、メダルゲームフィールドＭＦには、液晶ディスプレイなどを用いた電子ゲーム実行用の画像表示装置２と、プッシャフィールド３とが設置されている。
【００２８】
図４によく表れているように、画像表示装置２は、その画面部分が手前側に向かうほど低位となるように傾斜させられている。画像表示装置２の画面部分は、枠体２０を挟んでガラス板２１に覆われており、このガラス板２１の手前側の表面が傾斜面２１Ａとなっている。
【００２９】
画像表示装置２とプッシャフィールド３との間には、複数のチャッカ２６が横方向に並んで設けられている。チャッカ２６は、ガラス板２１の傾斜面２１Ａに略沿った姿勢のメダルｍの通過を許容する横長状の開口２６Ａを有している。
【００３０】
メダル投入装置１４は、図示しないメダル送出機構を介してメダルｍを上向きに搬送するための起立状のメダル搬送ガイド１４１と、メダルｍを立てたまま初速を与えて投出するためのメダルシュータ１４２とを有している。より詳細には、このメダルシュータ１４２は、メダル搬送ガイド１４１から受け渡されたメダルｍを転動させて加速させる下向きレール部１４２Ａと、水平方向よりも上方に投出するための上向きレール部１４２Ｂとがつながった構成とされている。メダルシュータ１４２は、操作パネル部１３に設けられたレバー１３Ｃの操作によって横方向に所定角度範囲内で揺動可能とされている。なお、メダル送出機構は、メダル投入口からメダル搬送ガイド１４１の間に配設され、メダルｍを搬送する通路およびメダルｍのホッパー装置等を備えた周知のものである。
【００３１】
チャッカ２６の上方近傍には、上記開口２６Ａへのメダルの落下を誘導する規制部材２５が設けられている。この規制部材２５は、ガラス板２１と略平行に配置された棒材である。規制部材２５の上方近傍には、支持部材２３を介して複数のピン２４が横方向に並ぶように設けられている。これらピン２４は、チャッカ２６の配置と同一ピッチで配列されており、たとえば図３の矢印Ｎａ方向に往復動させられている。ピン２４の上方近傍には、複数のピン２２が横方向に並ぶように設けられている。これらピン２２は、枠体２０に支持され、ガラス板２１の表面から手前側に突出するように立設されており、隣接するピン２２どうしの間をメダルｍが通過可能となるように一定ピッチで配列されている。
【００３２】
図４に表れているように、メダルシュータ１４２から初速が与えられたメダルｍが投出されると、当該メダルｍは、山形の放物線を描くように空中を飛んだ後に傾斜面２１Ａに斜め前方から衝突する。ここで、メダルｍは、概して、傾斜面２１Ａに沿った姿勢と傾斜面２１Ａに対して起立した姿勢との間で暴れながら落下し、ピン２２およびピン２４に当たって進路が変えられる。そして規制部材２５の奥方（規制部材２５と、傾斜面２１Ａないし当該傾斜面２１Ａの延長面との間）をメダルｍが通過すると、その殆どがチャッカ２６に入る。一方、規制部材２５の手前側をメダルｍが通過すると、当該メダルｍは、チャッカ２６に入らずにチャッカ２６の手前側から落下する。
【００３３】
各チャッカ２６は、たとえば内部に設けられた図示しないセンサによりメダルｍの通過が検出されるように構成されている。メダルシュータ１４２から投出されたメダルｍがチャッカ２６に入ると、マイクロコンピュータ９は、画像表示装置２で展開される電子ゲームやチャッカ２６を利用した所定のゲームを実行する。図４に表れているように、チャッカ２６に入ったメダルｍおよびチャッカ２６に入らなかったメダルｍのいずれもプッシャフィールド３上に落下する。
【００３４】
図３および図４に表れているように、プッシャフィールド３は、固定プレート３０上に可動プレート３１が重ねられ、かつこの可動プレート３１が図示しないモータの駆動によって一定のストロークで矢印Ｎｂ方向に往復動を行なうように構成されたものである。図５（ａ）に表れているように、固定プレート３０は、下位にある木板３０Ａと上位にある金属板３０Ｂとが重ねられた構成とされており、これら木板３０Ａおよび金属板３０Ｂの間に後述する弾性部材４１が介装されている。
【００３５】
固定プレート３０の端部には、エッジプレート３２が設けられている。エッジプレート３２は、固定プレート３０の端部の略全域にわたって延びるプレート状とされており、図５（ａ）に表れているように、下板３２Ａと上板３２Ｂとの間に後述する弾性部材４１が挟まれた構成とされている。エッジプレート３２の適所には、後述する調整ボルト４３の操作を行うための貫通孔３２ｃが形成されている。図４に表れているように、可動プレート３１が手前側に前進したときに、固定プレート３０上に載っている複数枚のメダルｍどうしが固定プレート３０の手前に向けてうまく押し合うと、押し出されたメダルｍがエッジプレート３２上を通過し、先端縁３２ｄからその手前の落下溝３３にメダルｍが落下するようになっている。
【００３６】
可動プレート３１の往復動は、常時繰り返して実行されるように構成されているが、これに代えて、たとえば画像表示装置２において実行されるゲーム結果に対応させて可動プレート３１を間欠的に動作させるようにしてもかまわない。落下溝３３に落下したメダルｍは、ホッパー装置等を有する周知のメダル払出機構（図示略）を介してメダル払出口１３Ｂを通じて操作パネル部１３上のメダル留置部（図示略）に払い出されるようになっている。図３および図４に表れているように、固定プレート３０上には、たとえばゲームの進行状況に応じて、後述するキャッチャー抽選装置５によって獲得したボールｂ１が散在している。当該ボールｂ１は、固定プレート３０上のメダルが手前に押されるのにともなって手前に移動し、いずれ落下溝３３に落下する。プッシャフィールド３の側方には、画像表示装置２において実行される電子ゲームやクルーン抽選装置７における抽選ゲームで所定の結果となった場合に固定プレート３０ないし可動プレート３１上にメダルｍを払い出すためのメダル払出口３４が設けられている。なお、固定プレート３０の両側方には、メダル回収口３０１が設けられており、このメダル回収口３０１に入ったメダルｍは、所定のメダル貯留部（図示略）に回収される。
【００３７】
エッジプレート３２には、エッジプレート調整機構４が設けられている。図５に表れているように、エッジプレート調整機構４は、弾性部材４１と、固定部材４２と、調整ボルト４３とを備えて構成されている。本実施形態においては、弾性部材４１は板バネからなり、その基端部が固定プレート３０の木板３０Ａおよび金属板３０Ｂの間に介装されている。一方、弾性部材４１の先端部は、たとえば下板３２Ａと上板３２Ｂに挟まれた状態で相互に溶接されることによって、エッジプレート３２に連結されている。固定部材４２は、固定プレート３０の木板３０Ａ下面に固定支持された板材であり、エッジプレート３２の下方に位置している。
【００３８】
調整ボルト４３は、固定部材４２に形成されたネジ孔４２ａに螺合されており、ボルト頭部４３Ａがエッジプレート３２の下面と当接している。調整ボルト４３は、エッジプレート３２の貫通孔３２ｃを通じてドライバなどを挿入して、締める、あるいは弛める操作を行うことが可能となっている。この調整ボルト４３は、本発明でいう調整手段を担うものである。
【００３９】
このような構成により、図５（ａ）に表れているように、エッジプレート３２の先端が基端よりも上位となるように傾斜させられた状態においては、弾性部材４１の弾性復元力により、エッジプレート３２には下方への付勢力が作用する。ここで、調整ボルト４３を締めることにより、ボルト頭部４３Ａが下方に移動し、調整ボルト４３を弛めることによりボルト頭部４３Ａが上方に移動する。このようにして、固定部材４２からのボルト頭部４３Ａの高さ位置を変更することができ、これにともなってエッジプレート３２の傾斜角度を調整することができる。エッジプレート３２の傾斜角度を大きくすればペイアウト率を低くすることができ、エッジプレート３２の傾斜角度を小さくすればペイアウト率を高くすることができる。
【００４０】
図５に表れているように、弾性部材４１の基端部には、エッジプレート３２の先端方向に延びる長孔４１ａが形成されている。固定プレート３０の木板３０Ａには、ネジ孔３０ｃが形成されており、金属板３０Ｂには、上下に貫通する貫通孔３０ｄが形成されている。貫通孔３０ｄおよび長孔４１ａには、固定ボルト４４が挿通させられており、この固定ボルト４４は、ネジ孔３０ｃに螺合されている。固定ボルト４４を弛めることにより、固定プレート３０（木板３０Ａおよび金属板３０Ｂ）と弾性部材４１とは、相対移動が可能となり、エッジプレート３２を先端方向にスライド移動させることができる。かかる構成により、エッジプレート３２は、先端方向への長さを調整することができ、ペイアウト率を調整することができる。このような固定ボルト４４を用いた弾性部材４１の基端部の固定プレート３０への固定構造は、好ましくは、エッジプレート３２の長手方向（左右方向）に間隔を隔てて複数設けられている。
【００４１】
本実施形態においては、メダルゲームフィールドＭＦには、後述するキャッチャー抽選装置５によって獲得したボールｂ１を搬送してプッシャフィールド３に投入するための固定レール６１および可動レール６２が設けられている。固定レール６１の上端には、後述するキャッチャー５１によって掬い取ったボールｂ１を載せる受皿６１ａが設けられ、固定レール６１の下端には、ボールｂ１を可動レール６２の基端部に落下させる孔６１ｂが設けられている。可動レール６２は、プッシャフィールド３上におけるボールｂ１の投入位置を振り分けるためのものであり、その基端部が、図示しないモータの出力軸に連結されるなどにより、所定の垂直軸回りに一定角度範囲内で回動可能とされている。可動レール６２の先端部には、ボールｂ１を落下させるための孔６２ａが設けられている。
【００４２】
図１に表れているように、本実施形態において、センターユニットＣＵは、キャッチャー抽選装置５およびセンター抽選装置８を備えて構成されている。キャッチャー抽選装置５は、プレイヤの入力操作によってキャッチャー５１を操作してボールｂ１を掬い取る抽選を行うためのものである。キャッチャー抽選装置５における抽選ゲームは、たとえば、画像表示装置２を用いた電子ゲーム（画面抽選）や指定されたチャッカ２６への入賞を狙うゲームにおいて、所定の結果が得られた場合に実行される。
【００４３】
キャッチャー抽選装置５によってボールｂ１を獲得すると、当該ボールｂ１は、固定レール６１および可動レール６２を介してプッシャフィールド３上に投入される。このボールｂ１が落下溝３３から落下すると、クルーン抽選装置７において抽選ゲームが実行される。
【００４４】
図３に表れているように、クルーン抽選装置７は、ボールｂ２を用いて物理的抽選を行うためのものであり、ボールｂ２が転動する抽選盤７１と、抽選盤７１の中央に形成された複数（本実施形態では６個）の入賞孔７２とを備えている。本実施形態では、たとえば１個の入賞孔７２が、センター抽選装置８における抽選に進むための権利獲得（当選）となっており、他の５個の入賞孔７２が、メダル払出口３４による所定枚数のメダル払い出しや画像表示装置２における電子ゲームのステップアップとなっている。
【００４５】
センター抽選装置８は、ボールを用いて物理的抽選を行うためのものである。本実施形態においては、センター抽選装置８によって実行される抽選ゲームは、たとえば最大数千枚ものメダルｍが払い出される大当たり（以下、ＳＪＰ（スーパージャックポット）という）を獲得するための抽選（ＳＪＰ抽選）である。ＳＪＰ抽選に当選すると、図示しないメダル払い出し機構を介してメダルゲームフィールドＭＦ上にメダルｍが払い出される。
【００４６】
次に、メダルゲーム機Ａの作用について説明する。
【００４７】
本実施形態のメダルゲーム機Ａにおいては、固定プレート３０の端部とエッジプレート３２の基端との間は弾性部材４１によって連結されているため、エッジプレート３２の先端が基端よりも上位となるように傾斜させられると、弾性部材４１の弾性復元力によって、エッジプレート３２には下方への付勢力が働く。このとき、図５（ａ）に表れているように、エッジプレート３２の下面は調整ボルト４３のボルト頭部４３Ａに当接しているので、振動などによってエッジプレート３２が不当に変位することはない。一方、固定部材４２とエッジプレート３２との間に介装される調整ボルト４３（調整手段）については、固定部材４２からのボルト頭部４３Ａ（当接部）の高さを変えるだけで、エッジプレート３２の傾斜角度を調整することができ、ペイアウト率を変更することができる。したがって、調整手段の構造の簡素化を図ることができる。また、このようなエッジプレート３２の傾斜角度の調整によれば、ペイアウト率について比較的に広範囲において細かな調整が可能である。
【００４８】
また、本実施形態においては、弾性部材４１は、基端部が固定プレート３０の木板３０Ａと金属板３０Ｂとの間に介装され、先端部がエッジプレート３２に連結される板バネによって構成されている。このような構成によれば、固定プレート３０とエッジプレート３２との連結構造を簡素化することができる。また、上記構成によれば、固定プレート３０上からエッジプレート３２上までメダルｍがスムーズに押し出される。
【００４９】
本実施形態においては、固定ボルト４４を弛めることにより、エッジプレート３２は、先端方向への長さを調整することができる。したがって、エッジプレート３２は、傾斜角度の調整と先端方向への長さ調整が可能とされていることから、ペイアウト率についてより細かな調整が可能となる。
【００５０】
図６および図７は、本発明の他の実施形態を示している。なお、これらの図において、上記実施形態と同一または類似の要素には、上記実施形態と同一の符号を付しており、適宜説明を省略する。
【００５１】
図６に表される構成においては、エッジプレート調整機構４’が上記実施形態のエッジプレート調整機構４と異なっている。エッジプレート調整機構４’は、上記実施形態の調整ボルト４３に代えて、支柱部４５１と、主軸４５２と、板カム４５３と、ダイヤル４５４とを有する調整手段を備えている。
【００５２】
支柱部４５１は、固定部材４２に支持されており、上下方向に延びて設けられている。主軸４５２は、水平軸周りに回転可能に支持されており、たとえばネジ軸とされている。主軸４５２は、支柱部４５１に形成されたネジ孔４５１ａに螺合されている。板カム４５３は、主軸４５２の一端に設けられており、その周縁部が楕円状とされている。この周縁部が、エッジプレート３２の下面と当接している。ダイヤル４５４は、主軸４５２の他端に設けられており、このダイヤル４５４の正面には、図６（ｂ）に表れているように、主軸４５２の回転角度を表示するための目盛り４５４ａが設けられている。また、主軸４５２には、回転防止用のナット４５５が外嵌されている。
【００５３】
このような構成によれば、ダイヤル４５４を回転操作することにより、板カム４５３のエッジプレート３２に対する当接部が上下に変位することになり、エッジプレート３２の傾斜角度を容易に調整することができる。また、目盛り４５４ａに合わせてダイヤル４５４を回転操作することにより、エッジプレート３２の傾斜角度を一定角度に調整することができる。したがって、エッジプレート３２の調整を行う者の技量にかかわらず、ペイアウト率の調整を画一的に行うことが可能となる。なお、ナット４５５を支柱部４５１に当接するように締め付けておくことにより、主軸４５２が不当に回転することが防止される。
【００５４】
図７に表される構成においては、エッジプレート調整機構４”が上記実施形態のエッジプレート調整機構４と異なっている。エッジプレート調整機構４”は、上記実施形態の調整ボルト４３に代えて、ブロック体４６を有する調整手段を備えている。
【００５５】
ブロック体４６は、上部がエッジプレート３２の先端に向かうほど上位に変位する傾斜面４６ａとされており、固定部材４２に支持されている。ブロック体４６には、上下に貫通する貫通孔４６ｂと、貫通孔４６ｂの上端につながる平坦な座ぐり４６ｃとが形成されている。貫通孔４６ｂには、固定ボルト４７が挿通させられており、この固定ボルト４７は、固定部材４２に形成されたネジ孔４２ａに螺合されている。
【００５６】
このような構成によれば、ブロック体４６の傾斜面４６ａ（当接部）の傾斜角度に応じてエッジプレート３２の傾斜角度を一定角度に調整することができる。したがって、エッジプレート３２の調整を行う者の技量にかかわらず、ペイアウト率の調整を画一的に行うことが可能となる。また、エッジプレート３２の傾斜角度の変更は、傾斜面４６ａの傾斜角度が異なる他のブロック体４６に交換することによって、容易に行うことができる。
【００５７】
以上、本発明の実施形態を説明したが、本発明の技術的範囲は上記した実施形態に限定されるものではない。本発明に係るプッシャゲーム機の各部の具体的な構成は、発明の思想から逸脱しない範囲内で種々な変更が可能である。
【００５８】
上記実施形態においては、図５を参照して上述したように、弾性部材（４１）に長孔（４１ａ）を形成し、固定プレート（３０）については、下側の第１部材（３０Ａ）にネジ孔（３０ｃ）、上側の第２部材（３０Ｂ）に貫通孔（３０ｄ）が設けられた構成であるが、これに代えて、たとえば、弾性部材にネジ孔を形成し、上側の第２部材に長孔、下側の第１部材に固定ボルトの先端部が通過可能とされ、かつ当該長孔に沿った窪みないし長孔を設けてもよい。かかる構成においても、固定ボルトを弛めると、弾性部材は、第１部材および第２部材間でエッジプレートの先端方向にスライド移動させることができ、エッジプレートは、先端方向への長さ調整が可能である。
【００５９】
上記実施形態においては、遊戯媒体としてメダルを用いた、いわゆるメダルゲーム機を例に挙げて説明したが、本発明は、遊戯媒体としてぬいぐるみ等の景品を用いた、いわゆる景品獲得ゲーム機にも適用可能である。
【図面の簡単な説明】
【００６０】
【図１】本発明に係るプッシャゲーム機の一実施形態であるメダルゲーム機の全体外観図である。
【図２】図１に示すメダルゲーム機の電気的構成を示すブロック図である。
【図３】図１に示すメダルゲーム機のメダルゲームフィールドの構成例を示す概略正面図である。
【図４】図３に示される構成の部分縦断面図である。
【図５】エッジプレート調整機構を示し、（ａ）は要部断面図であり、（ｂ）は要部平面図である。
【図６】エッジプレート調整機構の他の構成例を示し、（ａ）は要部断面図であり、（ｂ）は要部正面図である。
【図７】エッジプレート調整機構の他の構成例を示す要部断面図である。
【符号の説明】
【００６１】
Ａ        メダルゲーム機
ｍ        メダル（遊戯媒体）
ＭＦ      メダルゲームフィールド
２        画像表示装置
３        プッシャフィールド
４，４’，４”    エッジプレート調整機構
３０      固定プレート
３０Ａ    木板（第１部材）
３０Ｂ    金属板（第２部材）
３０ｃ    ネジ孔（第１部材の）
３０ｄ    貫通孔（第２部材の）
３１      可動プレート
３２      エッジプレート
３３      落下溝
４１      弾性部材
４２      固定部材
４２ａ    ネジ孔（固定部材の）
４３      調整ボルト
４４      固定ボルト
４５１    支柱部
４５２    主軸
４５３    板カム
４５４    ダイヤル
４５４ａ    目盛り（回転角表示手段）
４６      ブロック体
４６ａ    傾斜面（当接部）
【図１】
2010046136.tif 000003
【図２】
2010046136.tif 000004
【図３】
2010046136.tif 000005
【図４】
2010046136.tif 000006
【図５】
2010046136.tif 000007
【図６】
2010046136.tif 000008
【図７】
2010046136.tif 000009